(57)【特許請求の範囲】
【請求項１】
紙層と、遮光層と、熱接着性接着層とを少なくとも備えた蓋材において、前記遮光層が前記紙層側に位置するアルミニウムの蒸着層と前記熱接着性接着層側に位置するベタの印刷層とからなることを特徴とする蓋材。
【発明の詳細な説明】
【０００１】
【発明の属する技術分野】
本発明は、即席食品等を収納する容器に用いられる蓋材に関するものである。
【０００２】
【従来の技術】
従来の即席食品等の容器、たとえば、インスタントラーメンが収納された即席カップ麺は、食べる際に蓋材の周縁に形成された摘まみ突片を摘んで捲り上げて、蓋材の約１／２程度を剥離して開口部を設けると共に容器内の具材等を包装袋から出して再度容器内に入れ、その後に前記開口部から容器内に所要量の熱湯を注湯し、剥離した蓋材を再度被せ、前記摘まみ突片を折り曲げて容器の開口端に係止し、所定時間湯戻しして後に蓋材を全部捲り取って容器開口部を露出させ、好みにより胡椒等の薬味を加えて喫食していた。
【０００３】
このような即席食品等の容器は、カップ状の容器本体とこのような容器本体に熱接着された蓋材とから構成され、容器本体に供されるものとしては、熱湯により調理可能な、たとえば、ポリスチレンペーパー、ハイインパクトポリスチレンシート、ポリプロピレンシート、ポリアミドとポリエチレンないしポリプロピレンとの積層シート、ポリエチレンとポリプロピレンとの積層シート等を周知の真空成形法や圧空成形法で成形して容器としたもの、ポリプロピレン、ポリスチレン等の射出成形用樹脂を射出成形して容器としたもの、あるいは、発泡スチレン製容器、紙製容器、あるいは、これらからなる二重容器などの周知のものが用いられている。
【０００４】
また、蓋材に供されるものとしては、一般的に層構成中にアルミニウム箔を用いた積層体、たとえば、紙を基材層とし、該基材層の一方の面に接着層を介してアルミニウム箔層を設け、さらに該アルミニウム箔層面に熱接着性樹脂層を設けた構成からなる積層体などが用いられている。層構成中にアルミニウム箔を用いる理由としては、▲１▼アルミニウム箔は塑性変形性を有し、上記したように容器の開口端に係止させるための折り曲げ癖を摘まみ突片に付けることができ、蓋材を開口部に被せた状態で一時的に保持することができること、また、蓋材がカールしても癖直しすることによりフラットの状態に修正することができることと、▲２▼アルミニウム箔の遮光性により内容物の品質を一定期間保持することができることなどを挙げることができる。
【０００５】
しかし一方、層構成中にアルミニウム箔を用いた上記の蓋材は、▲３▼廃棄するときに焼却処分しにくいといった問題、また、▲４▼品質検査に際しては、金属探知機を使用することができないといったアルミニウム箔を用いるが故の問題を有している。
【０００６】
【発明が解決しようとする課題】
そこで本発明は、上記問題点に鑑みてなされたものであり、その目的とするところは、層構成中にアルミニウム箔を用いた蓋材が有する遮光性を備える一方、他方においては、焼却処分することができると共に品質検査に際して金属探知機を使用することができる蓋材を提供することにある。
【０００７】
【課題を解決するための手段】
本発明者等は、上記目的を達成するために、請求項１記載の発明の蓋材は、紙層と、遮光層と、熱接着性接着層とを少なくとも備えた蓋材において、前記遮光層が前記紙層側に位置するアルミニウムの蒸着層と前記熱接着性接着層側に位置するベタの印刷層とからなることを特徴とするものである。このように構成することにより、遮光性に優れ、焼却処分が容易であると共に品質検査に際しては、金属探知機を使用することができる蓋材とすることができる。
【０００８】
【発明の実施の形態】
上記の本発明について、具体的な実施形態を図面等を用いて以下に更に詳しく説明する。
図１は本発明にかかる即席食品等の容器の一実施例を示す概略斜視図、図２はその使用状態を示す説明図、図３は本発明にかかる即席食品等の容器に用いる蓋材の第１の実施形態を示す層構成図、図４は本発明にかかる即席食品等の容器に用いる蓋材の第２の実施形態を示す層構成図、図５は本発明にかかる即席食品等の容器に用いる蓋材の第３の実施形態を示す層構成図、図６は本発明にかかる即席食品等の容器に用いる蓋材の第４の実施形態を示す層構成図、図７は本発明にかかる即席食品等の容器に用いる蓋材の第５の実施形態を示す層構成図、図８は本発明にかかる即席食品等の容器に用いる蓋材の第６の実施形態を示す層構成図あり、図中の１，１’，１''，11，11’，11''は蓋材、２は紙層、３は墨ベタの印刷層、４は中間層、５は熱接着性接着層、６はアルミニウムの蒸着層、７は接着層、８は合成樹脂製シート、33は白ベタの印刷層、50は容器、51は容器本体、52はフランジ部、53は摘まみ突片をそれぞれ示す。
【０００９】
図１は本発明の即席食品等の容器の一実施例を示す概略斜視図であって、即席食品等の容器50は、一方に円形状の開口部を有する断面略逆台形状の容器本体51と、該容器本体51の開口部とほぼ同じ外形を有する蓋材１とからなり、前記容器本体51の開口縁部に設けられたフランジ部52と前記蓋材１とを剥離可能な熱接着部（図示せず）で密封した構成からなり、前記蓋材１にはその一端縁から外方に突出する摘まみ突片53が形成されている。
【００１０】
この容器50には、通常、味付けされた油揚げ麺が収納されていて、蓋材１に設けられた摘まみ突片53を手指で摘んで捲り上げて、容器本体51から約１／２程度まで前記蓋材１を剥離して図２に示すように注湯口Ａを設け、この注湯口Ａから容器50内の具材等を取り出すと共に包装袋から出して再度容器50内に戻して後に、この注湯口Ａから内部に所要量熱湯を注湯し、前記蓋材１の剥離した部分を再度容器本体51に被せ（図１に示すような状態）、この状態で所定時間調理して後に（湯戻しして後に）、容器本体51から蓋材１を全部捲り取って容器開口部を露出させて喫食するように構成されている。
【００１１】
図３は本発明の即席食品等の容器に用いる蓋材の第１の実施形態を示す層構成図であって、蓋材１は紙層２の一方の面全面にカーボンブラックを用いた印刷インキにより印刷された墨ベタの印刷層３が設けられ、該印刷層３上に低密度ポリエチレンからなる中間層４を介して熱接着性接着層５が設けられた構成からなっている。紙層２は蓋材１の基材層を形成する層であり、通常該紙層２の表出面には絵柄層が設けられる。墨ベタの印刷層３は遮光性を付与するために設けられる層であり、低密度ポリエチレンからなる中間層４は、容器本体51に蓋材１を熱接着する際に容器本体51のフランジ部52に通常存在する僅かな凹凸を吸収して容器本体51と熱接着されるように設けられる層であり、熱接着性接着層５は容器本体51に蓋材１を確実に熱接着するために設けられる層である。
【００１２】
図４は本発明の即席食品等の容器に用いる蓋材の第２の実施形態を示す層構成図であって、蓋材１’は紙層２の一方の面全面にカーボンブラックを用いた印刷インキにより印刷された墨ベタの印刷層３が設けられ、該印刷層３上全面に酸化チタンを用いた印刷インキにより印刷された白ベタの印刷層33が設けられ、該印刷層33上に低密度ポリエチレンからなる中間層４を介して熱接着性接着層５が設けられた構成からなっている。白ベタの印刷層33は、即席カップ麺を食べる際に容器本体51から蓋材１’を剥離して注湯口を設ける等の操作を行ったときに、墨ベタの印刷層３が直に見えるのは食品用包材としては好ましくなく、これをカモフラージュするために設けられるものであるが、この白ベタの印刷層33は酸化チタンによる紫外線遮断効果も期待できる。これ以外の各層は第１の実施形態と同じであり説明は省略する。
【００１３】
図５は本発明の即席食品等の容器に用いる蓋材の第３の実施形態を示す層構成図であって、蓋材１''は紙層２の一方の面全面にカーボンブラックを用いた印刷インキにより印刷された墨ベタの印刷層３が設けられ、該印刷層３上全面に酸化チタンを用いた印刷インキにより印刷された白ベタの印刷層33が設けられ、該印刷層33上に接着層７を介して合成樹脂製シート層８が設けられ、該合成樹脂製シート層８上全面に熱接着性接着層５が設けられた構成からなっている。接着層７は、白ベタの印刷層33と合成樹脂製シートを接着させるために設けられる層であり、Ｔダイ押出機で押し出した低密度ポリエチレンからなる層であってもよいし、周知のドライラミネーション用接着剤からなる層であってもよい。ところで、接着層７をＴダイ押出機で押し出した低密度ポリエチレンで形成する場合にあっては、白ベタの印刷層33と接着層７との間にアンカーコート剤等の白ベタの印刷層33と接着層７との接着強度を向上させる処理を施してもよい。なお、第１実施形態の墨ベタの印刷層３と中間層４との間、および、第２実施形態の白ベタの印刷層33と中間層４との間についてもこれと同様である。また、合成樹脂製シート８は、蓋材１''に剛性と弾性を付与するために設けられるものであり、蓋材を破れ難くすると共に蓋材１''の摘まみ突片53を手指で摘んで容器50から蓋材１''を剥離して注湯口Ａを設け、所要量熱湯を注湯後に、前記摘まみ突片53を手放すと蓋材１''が有する弾性により、注湯口Ａを自動的に塞ぎ、熱を逃がさないようにするためである。この合成樹脂製シート８は、蓋材１に剛性と弾性を付与できるものであれば、２軸方向あるいは１軸方向に延伸されたものであっても、未延伸のものであってもよく、また、その厚さについても、要求物性により適宜決めればよい。また、この合成樹脂製シート８に合成紙を用いる場合にあっては、白ベタの印刷層33は敢えて設けることもない。また、合成樹脂製シート８や接着層７の少なくとも一つの層を着色、たとえば、酸化チタンを用いて白色に着色する場合も上記と同様に白ベタの印刷層33は敢えて設けることもない。これは、第２の実施形態の中間層４にも当てはめることができる。
【００１４】
このように第１〜第３の実施形態で示した本発明の蓋材１、１’、１''は、焼却処分が容易であり、また、アルミニウム箔を用いた従来の蓋材と同様に遮光性に優れると共に、アルミニウム箔を用いた従来の蓋材では不可能であった金属探知機を使用した品質検査を可能とすることができる。
【００１５】
図６は本発明の即席食品等の容器に用いる蓋材の第４の実施形態の層構成図であって、蓋材11は第１の実施形態の墨ベタの印刷層３にかえてアルミニウムの蒸着層６が設けられている以外は第１の実施形態と同じであり説明は省略するが、この場合、アルミニウムの蒸着層６は第１の実施形態の墨ベタの印刷層３と同様に遮光性を付与するために設けられる層である。
【００１６】
図７、図８は本発明の即席食品等の容器に用いる蓋材の第５、第６の実施形態の層構成図であって、蓋材11’、11''はそれぞれ第２、第３の実施形態に対応し、墨ベタの印刷層３にかえてアルミニウムの蒸着層６が設けられている以外は、それぞれ第２、第３の実施形態と同じであり説明は省略する。なお、第５、第６の実施形態においては、白ベタの印刷層33を設けたが、これは即席カップ麺を食べる際に容器本体51から蓋材を剥離して注湯口を設ける等の操作を行ったときに、アルミニウムの蒸着層６の金属光沢が直に見え、消費者がアルミニウム箔が使われた蓋材と同様に廃棄処理する可能性をなくす目的であり、このような心配がないのであれば、白ベタの印刷層33は設けなくともよい。
【００１７】
また、第５、第６実施形態の蓋材においても、第２、第３実施形態の蓋材同様に、合成樹脂製シート８に合成紙を用いる場合にあっては、白ベタの印刷層33は敢えて設けることもない。また、合成樹脂製シート８や接着層７の少なくとも一つの層を着色、たとえば、酸化チタンを用いて白色に着色する場合も上記と同様に白ベタの印刷層33は敢えて設けることはない。
【００１８】
このように第４〜第６の実施形態で示した本発明の蓋材11、11’、11''についても第１〜第３の実施形態と同様に、焼却処分が容易であり、また、アルミニウム箔を用いた従来の蓋材と同様に遮光性に優れると共に、アルミニウム箔を用いた従来の蓋材では不可能であった金属探知機を使用した品質検査についても、金属探知機の感度を落とす必要はあるが、金属探知機による品質検査を可能とすることができる。
【００１９】
なお、上記した第１〜第６の実施形態の蓋材は、通常該蓋材の表出面に美麗な印刷が施されるが、紙層２を通して表出面側に層構成中に設けた墨ベタの印刷層３やアルミニウムの蒸着層６による黒ずみが現出して意匠的に問題を生じる場合にあっては、紙層２の表出面、および／ないし、紙層２と墨ベタの印刷層３ないしアルミニウムの蒸着層６との間に、白ベタの印刷層を設けて意匠性を高めることもできる。
【００２０】
次に、本発明の即席食品等の容器に用いられる蓋材に設けられる熱接着性接着層５について説明する。この熱接着性接着層５は、蓋材と熱接着する容器本体51の構成に応じて、易開封性となるものを適宜選択して用いる必要があるが、容器本体51の構成としては、熱湯により調理する即席食品用容器として用いられている周知のものを挙げることができ、たとえば、ポリスチレンペーパー、ハイインパクトポリスチレンシート、ポリプロピレンシート、ポリアミドとポリエチレンないしポリプロピレンとの積層シート、ポリエチレンとポリプロピレンとの積層シート等を周知の真空成形法や圧空成形法で成形して容器としたもの、ポリプロピレン、ポリスチレン等の射出成形用樹脂を射出成形して容器としたもの、あるいは、発泡スチレン製容器、紙製容器、あるいは、これらからなる二重容器などである。
【００２１】
これらの容器本体51に対して易開封性となる熱接着性接着層５を形成することができる樹脂としては、たとえば、ポリエチレン、ポリプロピレン、エチレン−プロピレン共重合体、エチレン−酢酸ビニル共重合体、塩素化ポリエチレン、塩素化ポリプロピレン、アイオノマー樹脂、塩化ビニル−酢酸ビニル共重合体、アクリル酸樹脂、メタクリル酸樹脂、エチレン−アクリル酸共重合体、エチレン−メタクリル酸共重合体、エチレン−アクリル酸エステル共重合体、エチレン−メタクリル酸エステル共重合体、ポリエステル樹脂等の単体ないし複合体を挙げることができる。また、熱接着性接着層５の形成方法としては、使用する樹脂系や熱接着性接着層５の塗工量を考慮して、塗工方法を決めればよいのであって、たとえば、熱溶融した樹脂をＴダイ押出機から押し出して形成することもできるし、また、樹脂を溶液化（エマルジョン化も含む）して、ロールコートやグラビアコート等の周知の塗工法で塗工し、乾燥させることによっても形成することができる。なお、この熱接着性接着層５についても、たとえば、酸化チタン等により白く着色して、上記した墨ベタの印刷層３やアルミニウムの蒸着層６に起因する問題を解消してもよい。
【００２２】
【実施例】
次に、上記の本発明について、以下に実施例を挙げて更に詳しく説明する。
実施例１
坪量79.1g/m2の両面コート紙の一方の面に、グラビア版（版深：40μｍ）を用い、酸化チタンを使用した白インキで白色のベタ印刷を行い、該白ベタ印刷上に絵柄印刷を行った。その後、前記両面コート紙の他方の面に、グラビア版（版深：35μｍ）を用い、カーボンブラックを使用した墨インキで墨ベタ印刷を行うと共に、該墨ベタ印刷上にグラビア版（版深：40μｍ）を用い、酸化チタンを使用した白インキで白色のベタ印刷を２回刷りした。その後、２回刷りした白色のベタ印刷面全面にウレタン系のアンカーコート剤を塗工して、該アンカーコート剤塗工面にＴダイ押出機で低密度ポリエチレンを20μｍ押し出し塗工し、さらに、該低密度ポリエチレン塗工面にＴダイ押出機でポリオレフィン系ポリマーアロイを25μｍ押し出し塗工して熱接着性接着層を形成し、本発明の蓋材を得た。
【００２３】
実施例２
坪量79.1g/m2の両面コート紙と、一方の面にアルミニウム蒸着層を有すと共に、他方の面にコロナ放電処理を施した12μｍの２軸延伸ポリエチレンテレフタレートフィルム（以下、アルミ蒸着ＰＥＴと呼称する）の蒸着面とを周知のウレタン系ドライラミネーション用接着剤（３g/m2ドライ）で貼合して積層体を作製し、該積層体の両面コート紙面に絵柄とOPニス（オーバーコートニス）印刷を行って後に、アルミ蒸着ＰＥＴのコロナ放電処理が施されたＰＥＴ面にＥＭＡＡ系ヒートシール剤〔中央理化工業（株）アクアテックスＡＣ−Ｃ９８５４〕を周知のロールコート法で５g/m2ドライ塗工して熱接着性接着層を形成し、本発明の蓋材を得た。
【００２４】
実施例１、２で得た本発明の蓋材について、200 〜700nm の波長領域の光の透過率を分光光度計で測定し、その結果を表１に纏めて示したが、いずれも透過率が0.3 ％以下という良好な遮光性を示し、耐内容物性においても従来のアルミニウム箔を用いた蓋材と比べて、実用上問題ないものであった。
【００２５】
〔表１〕
0004170518.tif 000002
【００２６】
【発明の効果】
本発明の蓋材は、今まで縷々説明したように、即席食品等が収納された容器に用いられる蓋材であって、焼却処分が容易であり、また、アルミニウム箔を用いた従来の蓋材と同様に遮光性に優れると共に、アルミニウム箔を用いた従来の蓋材では不可能であった金属探知機を使用した品質検査を可能とすることができるという効果を奏するものである。
【図面の簡単な説明】
【図１】本発明にかかる即席食品等の容器の一実施例を示す概略斜視図である。
【図２】図１の使用状態を示す説明図である。
【図３】発明にかかる即席食品等の容器に用いる蓋材の第１の実施形態を示す層構成図である。
【図４】本発明にかかる即席食品等の容器に用いる蓋材の第２の実施形態を示す層構成図である。
【図５】本発明にかかる即席食品等の容器に用いる蓋材の第３の実施形態を示す層構成図である。
【図６】本発明にかかる即席食品等の容器に用いる蓋材の第４の実施形態を示す層構成図である。
【図７】本発明にかかる即席食品等の容器に用いる蓋材の第５の実施形態を示す層構成図である。
【図８】本発明にかかる即席食品等の容器に用いる蓋材の第６の実施形態を示す層構成図ある。
【符号の説明】
１，１’，１''，11，11’，11''    蓋材
２                                紙層
３                                墨ベタの印刷層
４                                中間層
５                                熱接着性接着層
６                                アルミニウムの蒸着層
７                                接着層
８                                合成樹脂製シート
33                                白ベタの印刷層
50                                容器
51                                容器本体
52                                フランジ部
53                                摘まみ突片
【図１】
0004170518.tif 000003
【図２】
0004170518.tif 000004
【図３】
0004170518.tif 000005
【図４】
0004170518.tif 000006
【図５】
0004170518.tif 000007
【図６】
0004170518.tif 000008
【図７】
0004170518.tif 000009
【図８】
0004170518.tif 000010